(57)【要約】      （修正有）【課題】検査を行った患者を間違える可能性を低くする医療検査装置、プログラム及び情報記憶媒体を提供する。【解決手段】医療検査装置は、カートリッジ内の検体を検査する検査部と、検査結果を印刷する印刷部と、検査部及び印刷部を制御する制御部と、を有する。制御部は、カートリッジから検査項目の情報を取得する工程Ｓ１２と、印刷部を制御して患者名記入欄を被印刷物に印刷させる工程Ｓ１４と、検査部を制御して検査項目に対応する検査を行わせる工程Ｓ２０〜Ｓ２４と、印刷部を制御して検査結果を被印刷物に印刷させる工程Ｓ２６と、を実行する。【選択図】図２
2017097543.tif 000002
【特許請求の範囲】
【請求項１】
カートリッジ内の検体を検査する検査部と、検査結果を印刷する印刷部と、前記検査部及び前記印刷部を制御する制御部と、を有する医療検査装置であって、
前記制御部は、
前記カートリッジから検査項目の情報を取得する第１工程と、
前記印刷部を制御して患者名記入欄を被印刷物に印刷させる第２工程と、
前記検査部を制御して検査項目に対応する検査を行わせる第３工程と、
前記印刷部を制御して検査結果を前記被印刷物に印刷させる第４工程と、を実行することを特徴とする、医療検査装置。
【請求項２】
請求項１において、
前記制御部は、
前記第２工程において、前記印刷部を制御して患者名記入欄と検査項目とを前記被印刷物に印刷させることを特徴とする、医療検査装置。
【請求項３】
請求項１又は２において、
所定の情報を出力する報知部を更に有し、
前記制御部は、
前記第２工程の後に、前記報知部を制御して、患者名の記入を促す報知を行わせることを特徴とする、医療検査装置。
【請求項４】
カートリッジ内の検体を検査する検査部と、検査結果を印刷する印刷部と、を有する医療検査装置を制御するためのプログラムであって、
前記カートリッジから検査項目の情報を取得する第１工程と、
前記印刷部を制御して患者名記入欄を被印刷物に印刷させる第２工程と、
前記検査部を制御して検査項目に対応する検査を行わせる第３工程と、
前記印刷部を制御して検査結果を前記被印刷物に印刷させる第４工程と、をコンピューターに実行させることを特徴とする、プログラム。
【請求項５】
カートリッジ内の検体を検査する検査部と、検査結果を印刷する印刷部と、を有する医療検査装置を制御するためのプログラムを記憶したコンピューター読み取り可能な情報記憶媒体であって、
前記カートリッジから検査項目の情報を取得する第１工程と、
前記印刷部を制御して患者名記入欄を被印刷物に印刷させる第２工程と、
前記検査部を制御して検査項目に対応する検査を行わせる第３工程と、
前記印刷部を制御して検査結果を前記被印刷物に印刷させる第４工程と、をコンピューターに実行させるためのプログラムを記憶した情報記憶媒体。
【発明の詳細な説明】
【技術分野】
【０００１】
本発明は、医療検査装置、プログラム及び情報記憶媒体に関する。
【背景技術】
【０００２】
従来、医療検査装置において、検査結果等を伝票プリンターで印刷する機能を有するものが知られている（例えば、特許文献１）。印刷された伝票は、カルテに添付して保存されたり、患者に手渡されたり等に活用されている。
【先行技術文献】
【特許文献】
【０００３】
【特許文献１】特開平７−１３７４０４号公報
【発明の概要】
【発明が解決しようとする課題】
【０００４】
検査が終了してから検査結果等の印刷を行う場合を想定すると、検査開始から検査終了までには時間がかかるため、医療従事者が検査中に他の業務などを行った場合には、検査を行った患者名を忘れる、或いは検査を行った患者を他の患者と取り違えるなどの恐れがあり、結果的に誤った判断を行い、適切な治療を実施できない可能性がある。
【０００５】
患者名と検査結果を一致させるための方法として、検査開始時に医療検査装置に患者名を入力して、患者名を検査結果とともに印刷することが考えられる。入力手段としては、キーボード或いはボタン操作での入力、バーコードリーダーでの入力が考えられる。キーボード或いはボタン操作での入力には、入力が煩わしく手間が掛かるという問題点があり、バーコードリーダーでの入力には、バーコードによる患者の識別を行っていない医療機関では実施できないという問題点がある。
【０００６】
本発明のいくつかの態様に係る目的の１つは、検査を行った患者を間違える可能性を低くすることができる医療検査装置、プログラム及び情報記憶媒体を提供することにある。
【課題を解決するための手段】
【０００７】
本発明は前述の課題の少なくとも一部を解決するためになされたものであり、以下の態様又は適用例として実現することができる。
【０００８】
（１）本発明に係る医療検査装置の一態様は、カートリッジ内の検体を検査する検査部と、検査結果を印刷する印刷部と、前記検査部及び前記印刷部を制御する制御部と、を有する医療検査装置であって、前記制御部は、前記カートリッジから検査項目の情報を取得する第１工程と、前記印刷部を制御して患者名記入欄を被印刷物に印刷させる第２工程と、前記検査部を制御して検査項目に対応する検査を行わせる第３工程と、前記印刷部を制御して検査結果を前記被印刷物に印刷させる第４工程と、を実行する。
【０００９】
このような医療検査装置では、検査部が検査を行う前に、患者名記入欄を被印刷物に印刷することで、医療従事者が検査開始前に被印刷物（検査終了後に検査結果が印刷される被印刷物）に患者名を記入することができるようになり、検査を行った患者を間違える可能性を低くすることができる。
【００１０】
（２）本発明に係る医療検査装置において、前記制御部は、前記第２工程において、前記印刷部を制御して患者名記入欄と検査項目とを前記被印刷物に印刷させてもよい。
【００１１】
このような医療検査装置では、検査部が検査を行う前に、患者名記入欄に加えて検査項目を被印刷物に印刷することで、医療従事者が検査開始前に検査項目を確認することができるようになり、間違った検査を行ってしまう可能性も低くすることができる。
【００１２】
（３）本発明に係る医療検査装置において、所定の情報を出力する報知部を更に有し、前記制御部は、前記第２工程の後に、前記報知部を制御して、患者名の記入を促す報知を行わせてもよい。
【００１３】
このような医療検査装置では、印刷部が患者名記入欄を被印刷物に印刷した後に、患者名の記入を促す報知を行うことで、検査を行った患者を間違える可能性をより低くすることができる。
【００１４】
（４）本発明に係るプログラムの一態様は、カートリッジ内の検体を検査する検査部と、検査結果を印刷する印刷部と、を有する医療検査装置を制御するためのプログラムであって、前記カートリッジから検査項目の情報を取得する第１工程と、前記印刷部を制御して患者名記入欄を被印刷物に印刷させる第２工程と、前記検査部を制御して検査項目に対応する検査を行わせる第３工程と、前記印刷部を制御して検査結果を前記被印刷物に印刷させる第４工程と、をコンピューターに実行させる。
【００１５】
このようなプログラムでは、検査部が検査を行う前に、患者名記入欄を被印刷物に印刷することで、医療従事者が検査開始前に被印刷物（検査終了後に検査結果が印刷される被印刷物）に患者名を記入することができるようになり、検査を行った患者を間違える可能性を低くすることができる。
【００１６】
（５）本発明に係る情報記憶媒体の一態様は、カートリッジ内の検体を検査する検査部と、検査結果を印刷する印刷部と、を有する医療検査装置を制御するためのプログラムを記憶したコンピューター読み取り可能な情報記憶媒体であって、前記カートリッジから検査項目の情報を取得する第１工程と、前記印刷部を制御して患者名記入欄を被印刷物に印刷させる第２工程と、前記検査部を制御して検査項目に対応する検査を行わせる第３工程と、前記印刷部を制御して検査結果を前記被印刷物に印刷させる第４工程と、をコンピューターに実行させるためのプログラムを記憶する。
【００１７】
このような情報記憶媒体では、検査部が検査を行う前に、患者名記入欄を被印刷物に印刷することで、医療従事者が検査開始前に被印刷物（検査終了後に検査結果が印刷される被印刷物）に患者名を記入することができるようになり、検査を行った患者を間違える可能性を低くすることができる。
【図面の簡単な説明】
【００１８】
【図１】本実施形態に係る医療検査装置の機能ブロック図である。
【図２】制御部の処理の一例を示すフローチャートである。
【図３】被印刷物の一例を示す図である。
【発明を実施するための形態】
【００１９】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２０】
図１は、本実施形態に係る医療検査装置の機能ブロック図である。医療検査装置１は、
カートリッジ内の検体を検査する検査部１０と、検査結果を被印刷物に印刷する印刷部２０と、所定の情報を出力する報知部３０と、医療検査装置１の制御を行う制御部４０と、カートリッジから情報を読み取る情報読取部５０と、操作部６０とを有する。
【００２１】
検査部１０は、ＰＣＲ（Ｐｏｌｙｍｅｒａｓｅ  Ｃｈａｉｎ  Ｒｅａｃｔｉｏｎ：ポリメラーゼ連鎖反応）法により、カートリッジ（反応容器）内の検体（ＤＮＡ等）を検査し、検査結果を制御部４０に出力する。ＰＣＲは、増幅の対象とする核酸（標的核酸）及び試薬を含む溶液（反応液）に熱サイクルを施すことで、標的核酸を増幅させる手法である。検査部１０は、カートリッジを回転して上下反転させる回転機構と、カートリッジ内の反応液を加熱する複数のヒーターと、カートリッジ内の標的核酸を含む液滴の輝度を測定し、測定結果を検査結果として出力する蛍光測定器などを有する。また、検査部１０は、検査部１０にカートリッジがセット（装着）されたことを検出し、検出情報を制御部４０に出力する検出部を有する。
【００２２】
印刷部２０は、検査部１０で得られた検査結果（例えば、インフルエンザや溶連菌等の感染症の陽性或いは陰性の結果）などを被印刷物（印刷用紙等）に印刷する。印刷部２０の機能は、インクジェットプリンターやレーザープリンターにより実現できる。
【００２３】
報知部３０は、所定の情報（音、光、画像）を出力して所定のメッセージを報知する。報知部３０の機能は、音を出力するスピーカー等の音出力部、光を出力するＬＥＤ光源等の発光部、画像を出力（表示）するＬＣＤディスプレイ等の表示部などにより実現できる。
【００２４】
情報読取部５０は、検査部１０にセットされたカートリッジから検査項目に関する情報を読み取り、読み取った情報を制御部４０に出力する。情報読取部５０の機能は、カートリッジに設けられたバーコードから情報を読み取るバーコードリーダー、カートリッジに設けられたＩＣタグから情報を読み取るＩＣタグリーダーなどにより実現できる。また、検査項目によってカートリッジの形状が異なる場合、情報読取部５０がカートリッジの形状を検出することで当該カートリッジから検査項目の情報を読み取るように構成してもよい。
【００２５】
操作部６０は、ユーザーの入力を受け付けるための機器であり、入力情報を制御部４０に出力する。操作部６０は、ボタン、タッチパネル、キーボード、マウスなどの入力機器により実現できる。操作部６０は、検査の開始を指示する入力を受け付けてもよい。
【００２６】
制御部４０は、入力情報や検出情報、プログラムなどに基づいて、検査部１０、印刷部２０、報知部３０及び情報読取部５０を制御する。制御部４０は、ＣＰＵなどのプロセッサーと、ＲＯＭやＲＡＭなどの記憶部とを有する。記憶部は、制御部４０としてコンピューターを機能させる（制御部４０が実行する各工程をコンピューターに実行させる）ためのプログラムや各種データを記憶するとともに、プロセッサーのワーク領域として機能する。
【００２７】
制御部４０は、情報読取部５０で読み取られた検査項目の情報を取得する第１工程と、印刷部２０を制御して患者名記入欄を被印刷物に印刷させる第２工程と、検査部１０を制御して検査項目（第１工程で取得した情報で特定される検査項目）に対応する検査を行わせる第３工程と、印刷部２０を制御して検査部１０から得られた検査結果を被印刷物（第２工程で患者名記入欄が印刷された被印刷物）に印刷させる第４工程とを実行する。
【００２８】
なお、制御部４０は、第２工程において、印刷された部分（患者名記入欄）を含む被印刷物の一部を印刷部２０の外部に排紙させ、第４工程において、被印刷物の全部を印刷部
２０の外部に排紙させる制御を行ってもよい。また、制御部４０は、第２工程において、印刷部２０を制御して患者名記入欄と検査項目（第１工程で取得した情報で特定される検査項目）とを被印刷物に印刷させてもよい。また、制御部４０は、第２工程の後に、報知部３０を制御して、音、光或いは画像などにより被印刷物（患者名記入欄）への患者名の記入をユーザーに促す報知を行わせてもよい。また、制御部４０は、操作部６０に対して検査の開始を指示する操作があった場合に第３工程を実行してもよいし、第２工程が終了してから所定時間が経過した場合に（或いは、第２工程の直後に）第３工程を実行してもよい。
【００２９】
図２は、制御部４０の処理の一例を示すフローチャートである。まず、制御部４０は、検査部１０が有する検出部からの検出情報に基づいて、検査部１０にカートリッジがセットされたか否かを判断する（ステップＳ１０）。検査部１０にカートリッジがセットされたと判断した場合（ステップＳ１０のＹ）には、制御部４０は、情報読取部５０を制御してカートリッジから検査項目の情報を読み取らせ、情報読取部５０で読み取られた検査項目の情報を取得する（ステップＳ１２）。
【００３０】
次に、制御部４０は、患者名記入欄と検査項目の情報を印刷データに変換して制御信号とともに印刷部２０に出力し、患者名記入欄と検査項目とを被印刷物に印刷させる制御を行う（ステップＳ１４）。次に、制御部４０は、制御信号を印刷部２０に出力して、被印刷物の一部（患者名記入欄と検査項目が印刷された部分）を印刷部２０の外部に排紙させる制御を行う（ステップＳ１６）。次に、制御部４０は、制御信号を報知部３０に出力して、患者名の記入を促す報知を行わせる制御を行う（ステップＳ１８）。
【００３１】
図３（Ａ）は、第２工程（ステップＳ１４、Ｓ１６）が実行されたときの被印刷物の一例を示す図である。図３（Ａ）に示すように、検査開始前の第２工程では、被印刷物ＰＭ（印刷用紙）には、患者名記入欄ＮＦと、カートリッジから読み取られた検査項目ＴＮ（ここでは、「インフルエンザ」）が印刷され、被印刷物ＰＭは、患者名記入欄ＮＦと検査項目ＴＮを含む一部が印刷部２０の外部に排紙される。従って、ユーザー（医療従事者）は、検査開始前に被印刷物ＰＭに筆記具ＮＴを用いて患者名を筆記することができ、また、検査開始前に検査項目を確認することができる。なお、図３（Ａ）に示す例では、第２工程において、患者名記入欄ＮＦと検査項目ＴＮに加えて、検査日時（現在時刻）と、カートリッジから読み取られた試薬ロット番号が印刷されている。
【００３２】
再び図２の説明に戻ると、制御部４０は、操作部６０に対して検査の開始を指示する検査開始指示操作（例えば、「開始」ボタンを押下する操作）が行われたか否かを判断する（ステップＳ２０）、検査開始指示操作が行われた場合（ステップＳ２０のＹ）には、制御部４０は、制御信号を検査部１０に出力して、検査項目に対応する検査（例えば、検査項目に適した熱サイクル処理を行うＰＣＲ検査）を実行させる制御を行う（ステップＳ２２）。なお、ステップＳ２０を省略して、検査開始指示操作に依らずにステップＳ２２を実行してもよい。
【００３３】
次に、制御部４０は、検査部１０での検査が終了したか（検査部１０から検査結果を取得した）否かを判断する（ステップＳ２４）。検査部１０での検査が終了した場合（ステップＳ２４のＹ）、制御部４０は、検査部１０から取得した検査結果を印刷データに変換して制御信号とともに印刷部２０に出力し、検査結果を被印刷物に印刷させ、被印刷物を印刷部２０の外部に排紙させる制御を行う（ステップＳ２６）。
【００３４】
図３（Ｂ）は、第４工程（ステップＳ２６）が実行されたときの被印刷物の一例を示す図である。図３（Ｂ）に示すように、検査終了後の第４工程では、被印刷物ＰＭには、検査部１０で行われた検査の検査結果ＴＲが印刷される。図３に示す検査結果ＴＲは、イン
フルエンザＡ型が陽性であり、インフルエンザＢ型が陰性であることを示している。なお、Ｃｔ値とは、ＰＣＲの増幅産物がある一定量に達したときのサイクル数である。ここでは、３０回のサイクル数でインフルエンザＡ型ウイルスが一定量に達したことを示している。
【００３５】
このように、本実施形態の医療検査装置では、検査開始前に患者名記入欄ＮＦを被印刷物に印刷することで、医療従事者が検査開始前に被印刷物（検査終了後に検査結果ＴＲが印刷される被印刷物）に患者名を記入することができるようになり、検査を行った患者を間違える可能性を低くすることができる。また、患者名記入欄ＮＦを印刷した後に患者名の記入を促す報知を行うことで、検査を行った患者を間違える可能性をより低くすることができる。また、検査開始前に患者名記入欄ＮＦに加えて検査項目ＴＮを被印刷物に印刷することで、医療従事者が検査開始前に検査項目を確認することができるようになり、間違った検査を行ってしまう可能性も低くすることができる。
【００３６】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００３７】
１  医療検査装置、１０  検査部、２０  印刷部、３０  報知部、４０  制御部、５０  情報読取部、６０  操作部
【図１】
2017097543.tif 000003
【図２】
2017097543.tif 000004
【図３】
2017097543.tif 000005